(57)【要約】【課題】映像表示装置の製造コストの増大を抑えつつ、適切な画質の映像を得ることの可能な映像表示システムおよび映像表示方法を提供する。【解決手段】本技術の映像表示システムは、互いに通信可能な映像表示装置および外部装置を備えたものである。映像表示装置は、表示パネルを有し、表示パネルに関係する表示パネル情報を含む固有情報を外部装置に送信する。外部装置は、映像表示装置から受信した固有情報を用いて、画質を決定するパラメータを導出し、導出したパラメータまたはそれに関する関連データを映像表示装置に送信する。【選択図】図１
2015080075.tif 000002
【特許請求の範囲】
【請求項１】
互いに通信可能な映像表示装置および外部装置を備え、
前記映像表示装置は、表示パネルを有し、前記表示パネルに関係する表示パネル情報を含む固有情報を前記外部装置に送信し、
前記外部装置は、前記映像表示装置から受信した前記固有情報を用いて、画質を決定するパラメータを導出し、導出した前記パラメータまたはそれに関する関連データを前記映像表示装置に送信する
映像表示システム。
【請求項２】
前記映像表示装置は、前記表示パネルの電気的特性、光学的特性および環境のうち、少なくとも１つを検出可能なセンサを有し、前記センサの出力に基づいて前記表示パネル情報を生成する
請求項１に記載の映像表示システム。
【請求項３】
前記外部装置は、
コンテンツデータを記憶するコンテンツ記憶装置と、
画質を決定する前記パラメータを記憶するデータ記憶装置と、
前記固有情報から導出した前記パラメータを用いて前記コンテンツデータを処理して加工コンテンツデータを生成するか、または、前記コンテンツの付加的なデータであって、かつ前記パラメータを含むメタデータを前記関連データとして生成する情報処理装置と、
前記加工コンテンツデータを前記映像表示装置に配信するか、または、前記コンテンツデータを、前記メタデータと共に前記映像表示装置に配信する配信サーバと
を有する
請求項２に記載の映像表示システム。
【請求項４】
前記コンテンツデータは、映像コンテンツデータと、コンテンツ属性データとを含み、
前記情報処理装置は、前記パラメータおよび前記コンテンツ属性データを用いて前記映像コンテンツデータを処理して前記加工コンテンツデータを生成するか、または、前記映像コンテンツデータの付加的なデータであって、かつ前記パラメータおよび前記コンテンツ属性データを含む前記メタデータを前記関連データとして生成する
請求項３に記載の映像表示システム。
【請求項５】
前記映像表示装置は、前記加工コンテンツデータに基づいて前記表示パネルに映像を表示するか、または、前記メタデータに基づいて前記表示パネルを制御しつつ、前記コンテンツデータに基づいて前記表示パネルに映像を表示する
請求項３に記載の映像表示システム。
【請求項６】
前記固有情報は、前記表示パネル情報の他に、ユーザ情報を含む
請求項１に記載の映像表示システム。
【請求項７】
前記表示装置は、
前記加工コンテンツデータ、または、前記コンテンツデータをデコードした後、画像処理を行うシステム回路と、
前記表示パネルを駆動するパネル駆動回路と
を有し、
前記パネル駆動回路が、前記表示パネルに関係する表示パネル情報を含む固有情報を前記外部装置に送信する
請求項１に記載の映像表示システム。
【請求項８】
表示パネルを有する映像表示装置から、前記表示パネルに関係する表示パネル情報を含む固有情報を受信する受信部と、
前記受信部で受信した前記固有情報を用いて、画質を決定するパラメータまたはそれに関する関連データを導出する演算部と、
前記演算部で導出した前記パラメータまたはそれに関する前記関連データを前記映像表示装置に送信する送信部と
を備えた
外部装置。
【請求項９】
コンテンツデータを記憶するコンテンツ記憶装置と、
画質を決定する前記パラメータを記憶するデータ記憶装置と、
前記受信部、前記演算部および前記送信部を有し、前記演算部が、前記固有情報から導出した前記パラメータを用いて前記コンテンツデータを処理して加工コンテンツデータを生成するか、または、前記コンテンツの付加的なデータであって、かつ前記パラメータを含むメタデータを前記関連データとして生成する情報処理装置と、
前記加工コンテンツデータを前記映像表示装置に配信するか、または、前記コンテンツデータを、前記メタデータと共に前記映像表示装置に配信する配信サーバと
をさらに備えた
請求項８に記載の外部装置。
【請求項１０】
表示パネルを有する映像表示装置から、前記表示パネルに関係する表示パネル情報を含む固有情報を受信し、受信した前記固有情報を用いて、画質を決定するパラメータまたはそれに関する関連データを導出し、導出した前記パラメータを前記映像表示装置に送信する
映像表示方法。
【発明の詳細な説明】
【技術分野】
【０００１】
本技術は、ネットワークを利用した映像表示システムおよび映像表示方法と、上記映像表示システムに利用される外部装置に関する。
【背景技術】
【０００２】
近年、テレビなどの映像表示装置は、高画質化、多機能化している。この映像表示装置の画質は、様々なパラメータによって決定される。これらのパラメータは、映像表示装置の出荷段階でプリセットされていることが多い。表示パネルに経年変化がある場合、例えば、プリセットされたパラメータの一部を、経年変化に応じた値に自動的に補正する機能が映像表示装置に設けられている場合もある。また、映像表示装置が表示する映像コンテンツには様々な種類や番組が想定されるので、例えば、プリセットされたパラメータの一部を、映像コンテンツの種類などに応じた値に自動的に補正する機能が映像表示装置に設けられている場合もある（例えば、特許文献１）。
【先行技術文献】
【特許文献】
【０００３】
【特許文献１】特開２０１０−６０８６３号公報
【発明の概要】
【発明が解決しようとする課題】
【０００４】
しかし、そのような補正を行うためには、能力の高いプロセッサを用いることが必要となることが多い。その場合、製造コストが増大してしまうという問題があった。
【０００５】
本技術はかかる問題点に鑑みてなされたもので、その目的は、製造コストの増大を抑えつつ、適切な画質の映像を得ることの可能な映像表示システム、外部装置および映像表示方法を提供することにある。
【課題を解決するための手段】
【０００６】
本技術の映像表示システムは、互いに通信可能な映像表示装置および外部装置を備えたものである。映像表示装置は、表示パネルを有し、表示パネルに関係する表示パネル情報を含む固有情報を外部装置に送信する。外部装置は、映像表示装置から受信した固有情報を用いて、画質を決定するパラメータを導出し、導出したパラメータまたはそれに関する関連データを映像表示装置に送信する。
【０００７】
本技術の映像表示システムでは、映像表示装置から受信した固有情報を用いて、画質を決定するパラメータが導出され、導出されたパラメータまたはそれに関する関連データが映像表示装置に送信される。これにより、適切な画質の映像を得るのに必要な負荷のかかる情報処理を外部装置に任せることができる。
【０００８】
本技術の外部装置は、以下の３つの構成を備えている。
（Ａ１）表示パネルを有する映像表示装置から、表示パネルに関係する表示パネル情報を含む固有情報を受信する受信部
（Ａ２）受信部で受信した固有情報を用いて、画質を決定するパラメータまたはそれに関する関連データを導出する演算部
（Ａ３）演算部で導出したパラメータまたはそれに関する関連データを映像表示装置に送信する送信部
【０００９】
本技術の外部装置では、映像表示装置から受信した固有情報を用いて、画質を決定するパラメータが導出され、導出されたパラメータまたはそれに関する関連データが映像表示装置に送信される。これにより、適切な画質の映像を得るのに必要な負荷のかかる情報処理を外部装置に任せることができる。
【００１０】
本技術の映像表示方法は、以下の手順（Ｂ１）を含むものである。
（Ｂ１）表示パネルを有する映像表示装置から、表示パネルに関係する表示パネル情報を含む固有情報を受信し、受信した固有情報を用いて、画質を決定するパラメータまたはそれに関する関連データを導出し、導出したパラメータを映像表示装置に送信すること
【００１１】
本技術の映像表示方法では、映像表示装置から受信した固有情報を用いて、画質を決定するパラメータが導出され、導出されたパラメータまたはそれに関する関連データが映像表示装置に送信される。これにより、適切な画質の映像を得るのに必要な負荷のかかる情報処理を外部装置に任せることができる。
【発明の効果】
【００１２】
本技術の映像表示システム、外部装置および映像表示方法によれば、適切な画質の映像を得るのに必要な負荷のかかる情報処理を外部装置に任せることができるようにしたので、映像表示装置の製造コストの増大を抑えつつ、適切な画質の映像を得ることができる。
【図面の簡単な説明】
【００１３】
【図１】本技術の第１の実施形態に係る映像表示システムの概略構成の一例を表す図である。
【図２】図１の映像表示装置の内部構成の一例を表す図である。
【図３】図２の映像表示装置のデータの流れの一例を表す図である。
【図４】図１の情報処理装置、コンテンツ記憶装置およびデータ記憶装置のデータの流れの一例を表す図である。
【図５】図１の映像表示システムにおける動作の手順の一例を表す図である。
【図６】図１の映像表示システムにおける動作の手順の一例を表す図である。
【図７】図２の映像表示装置の一変形例を表す図である。
【図８】図７の映像表示装置のデータの流れの一変形例を表す図である。
【図９】図７の映像表示装置のデータの流れの一変形例を表す図である。
【図１０】本技術の第２の実施形態に係る映像表示システムの概略構成の一例を表す図である。
【図１１】図１０の映像表示装置の内部構成の一例を表す図である。
【図１２】図１１の映像表示装置のデータの流れの一例を表す図である。
【図１３】図１０の映像表示システムにおける動作の手順の一例を表す図である。
【図１４】図１０の映像表示システムにおける動作の手順の一例を表す図である。
【図１５】図１０の映像表示装置の一変形例を表す図である。
【図１６】図１５の映像表示装置のデータの流れの一変形例を表す図である。
【図１７】図１５の映像表示装置のデータの流れの一変形例を表す図である。
【図１８】本技術の第３の実施形態に係る映像表示システムの概略構成の一例を表す図である。
【図１９】本技術の第４の実施形態に係る映像表示システムの概略構成の一例を表す図である。
【図２０】図１９の映像表示装置およびセットトップボックスの内部構成の一例を表す図である。
【図２１】図１の映像表示システムの概略構成の一変形例を表す図である。
【図２２】図２１の撮像装置の内部構成の一例を表す図である。
【発明を実施するための形態】
【００１４】
以下、発明を実施するための形態について、図面を参照して詳細に説明する。なお、説明は以下の順序で行う。
１．第１の実施の形態（映像表示システム）
ネットワークからコンテンツを取得する例
２．第１の実施の形態の変形例
パネルモジュールから固有情報を外部に送信する例
３．第２の実施の形態（映像表示システム）
放送局からコンテンツを取得する例
４．第２の実施の形態の変形例
パネルモジュールから固有情報を外部に送信する例
５．第３の実施の形態（映像表示システム）
ネットワーク・放送局からコンテンツを取得する例
６．第４の実施の形態（映像表示システム）
セットトップボックスを用いる例
７．各実施の形態の共通の変形例（映像表示システム）
撮像装置をネットワークに接続する例
【００１５】
＜１．第１の実施の形態＞
[構成]
図１は、本技術の第１の実施の形態に係る映像表示システム１の概略構成の一例を表すものである。映像表示システム１は、例えば、映像表示装置１００、情報処理装置３００、コンテンツ記憶装置４００、データ記憶装置５００および配信サーバ６００を備えている。映像表示装置１００および情報処理装置３００は、ネットワーク２００に接続されており、コンテンツ記憶装置４００およびデータ記憶装置５００は、情報処理装置３００を介してネットワーク２００に接続されている。
【００１６】
（ネットワーク２００）
ネットワーク２００は、例えば、インターネットで標準的に利用されている通信プロトコル（ＴＣＰ／ＩＰ）を用いて通信を行うネットワークであってもよく、そのネットワーク独自の通信プロトコルを用いて通信を行うセキュアなネットワークであってもよい。ネットワーク２００は、例えば、インターネット、イントラネット、または、ローカルエリアネットワークである。ネットワーク２００と、情報処理装置３００、コンテンツ記憶装置４００、データ記憶装置５００または配信サーバ６００との接続は、例えば、イーサネット（登録商標）等の有線ＬＡＮ（local Area Network）であってもよいし、Ｗｉ−Ｆｉ等の無線ＬＡＮや、携帯電話回線などであってもよい。
【００１７】
（情報処理装置１００）
映像表示装置１００は、例えば、所定の操作パネルに配置されたボタンなど、又は、操作ボタンなどが配置されたコントローラ１００Ａなどから発せられる所定の信号に応じて動作する。例えば、ユーザの操作に応じてコントローラ１００Ａが所定の操作信号を、例えば赤外線などで無線送信し、映像表示装置１００がその操作信号を取得して、所定の動作を行う。映像表示装置１００は、ネットワーク２００を介して情報処理装置３００や配信サーバ６００と通信可能に形成される。
【００１８】
図２は、映像表示装置１００の内部構成の一例を表すものである。図３は、映像表示装置１００のデータの流れの一例を表すものである。映像表示装置１００は、パネルモジュール１１０と、システム回路１２０とを有している。パネルモジュール１１０は、表示パネル１１１およびパネル駆動回路１１２を有している。映像表示装置１００は、表示パネル１１１の電気的特性、光学的特性および環境のうち、少なくとも１つを検出可能なセンサを有している。具体的には、パネルモジュール１１０が、各種センサ１１３を有している。
【００１９】
表示パネル１１１は、２次元配置された複数の表示画素を有しており、各表示画素が映像信号に応じて駆動されることにより映像を表示するものである。表示パネル１１１は、例えば、有機ＥＬディスプレイ（OELD：Organic Electroluminescence Display）、または、液晶ディスプレイ（LCD：Liquid Crystal Display）である。表示パネル１１１は、例えば、非表示領域（例えば額縁領域）に、表示に寄与しないダミー画素１１１Ａを有している。ダミー画素１１１Ａは、表示パネル１１１に関する情報（表示パネル情報Ｐｄ）を取得するためのものである。ダミー画素１１１Ａは、例えば、表示画素と同一構成となっている。ダミー画素１１１Ａは、例えば、表示画素が映像信号に応じて駆動されている間、白輝度に相当する電圧が印加される。このとき、例えば、ダミー画素１１１Ａに流れる電流を電圧に変換し、この変換により得られた電圧Ｖｏを計測することにより、表示画素の劣化を予測することが可能である。つまり、ダミー画素１１１Ａは、表示パネル１１１の電気的特性を検出可能なセンサである。
【００２０】
各種センサ１１３は、ダミー画素１１１Ａと同様、表示パネル１１１に関する情報（表示パネル情報Ｐｄ）を取得するためのものである。各種センサ１１３は、また、表示パネル１１１に直接関係のない環境情報（環境情報Ｅｄ）を取得するためのものであってもよい。各種センサ１１３は、例えば、イメージセンサ、赤外線センサ、温度センサ、湿度センサ、照度センサ、輝度センサ、電流センサ、電圧センサ、加速度センサ、圧力センサ、または、触覚センサである。
【００２１】
パネル駆動回路１１２は、システム回路１２０から入力される各表示画素の映像信号Ｓ１、画質設定信号Ｓ２および表示パネル制御信号Ｓ３（後述）に基づいて、表示パネル１１１を駆動するものである。パネル駆動回路１１２は、画質設定信号Ｓ２および表示パネル制御信号Ｓ３から生成された映像信号Ｉｓおよび制御信号Ｔｓに基づいて表示パネル１１１を駆動するようになっている。パネル駆動回路１１２は、例えば、コントローラ、変換回路、垂直駆動回路および水平駆動回路を有している。コントローラは、制御信号Ｔｓに基づいて、変換回路、水平駆動回路および垂直駆動回路に対してそれぞれ制御信号を供給し、これらがお互いに同期して動作するように制御する回路である。変換回路は、制御信号Ｔｓに同期した映像信号Ｉｓを、表示パネル１１１の駆動に適した映像信号Ｉｓに変換する回路である。垂直駆動回路は、制御信号およびアドレス信号に基づいて、各表示画素を行単位で選択するための走査パルスを含む走査線信号を生成し、走査線を介して表示画素に出力するものである。水平駆動回路は、制御信号Ｔｓおよび映像信号Ｉｓに基づいて、各表示画素の階調データを含むデータ線信号を生成し、データ線を介して表示画素に出力するものである。
【００２２】
画質設定信号Ｓ２および表示パネル制御信号Ｓ３を用いることにより、例えば、以下に挙げるパネル制御を実現することができる。
（１）画質調整…
輝度調整、色度調整、ガンマ調整、およびそれらの空間的、時間的な適応処理。
上記の「空間的」とは、例えばパネル面内位置を指す。
上記の「時間的」とは、パネル点灯時間を指す。
解像度変換、周波数変換、動画質改善処理、ノイズ低減処理、３Ｄ映像への変換、
映像の幾何学変換（アスペクト比変換、パノラマ変換、複数画像への分割、
複数映像の結合など）
（２）表示デバイス補正…
輝度補正、色度補正、ガンマ補正、およびそれらの空間的、時間的な適応処理や
それらのパネル温度、パネル駆動状態に対する適応処理。
上記の「空間的」とは、例えばパネル面内位置を指す。
上記の「時間的」とは、パネル点灯時間を指す。
（３）表示デバイス保護…
パネル電流保護機能（ＡＢＬなど）、パネル発光輝度の制限機能、
パネル劣化および焼き付きの保護機能
（４）表示デバイス低消費電力化…
パネル駆動電圧制御、パネル駆動周波数制御、パネル駆動タイミング制御
【００２３】
パネル駆動回路１１２は、ダミー画素１１１Ａから得られた電圧Ｖｏや、各種センサ１１３の出力Ｓｏを取得し、これらに基づいて表示パネル情報Ｐｄや環境情報Ｅｄを生成する機能も有している。パネル駆動回路１１２では、例えば、表示パネル情報Ｐｄや環境情報Ｅｄを生成する機能がプロセッサ１１２Ａによって実現されている。パネル駆動回路１１２は、生成した表示パネル情報Ｐｄおよび環境情報Ｅｄをシステム回路１２０に出力するようになっている。
【００２４】
ここで、表示パネル情報Ｐｄとしては、例えば、以下のようなものが挙げられる。
（１）パネルＩＤ
（２）画面サイズ、画面解像度、アスペクト比、曲率
（３）パネル表面温度、パネル制御基板温度
（４）パネル応力
（５）視野角特性、外光反射特性、組み合わされる光学素子の特性
（６）駆動周波数、駆動電圧、駆動タイミング
（７）パネル表示性能（輝度、色度、コントラスト、ガンマ特性など）
（８）上記パネル表示性能の空間的、時間的な変動成分
（９）表示映像の信号履歴
【００２５】
また、環境情報Ｅｄとしては、例えば、以下のようなものが挙げられる。
（１）外光の照度
（２）外光の色温度
（３）外光の入射方向
（４）ユーザの視聴位置、視線の方向、姿勢、視聴人数、視聴人物
（５）環境温度、湿度
（６）表示装置の空間的な位置（傾きなど）
（７）複数画面表示におけるそれぞれの表示機器との位置関係
【００２６】
システム回路１２０は、外部から取得したコンテンツデータ（例えば、映像コンテンツデータＩｄおよびメタデータＭｄ、または、加工コンテンツデータＩｄ’）をデコードした後、画像処理を行い、処理後のデータをパネル駆動回路１１２に出力するものである。デコードは、例えば、映像処理装置３００のエンコードに対応した適切なコーデックで行われる。デコードにより、各表示画素の映像信号Ｓ１が生成されるとともに、メタデータＭｄ領域もしくは別ファイルのメタデータＭｄに記載された内容に基づいて画質設定信号Ｓ２および表示パネル制御信号Ｓ３が生成される。画質設定信号Ｓ２および表示パネル制御信号Ｓ３は、表示パネル１１１を制御するプロセッサ１１２Ａに入力されることで、所望のパネル制御を行うことができる。
【００２７】
システム回路１２０は、例えば、プロセッサ１２０Ａ、メモリ１２０Ｂ、デコーダ１２０Ｃ、映像信号処理回路１２０Ｄ、グラフィック生成回路１２０Ｅ、音声信号処理回路１２０Ｆ、音声増幅回路１２０Ｇ、およびスピーカ１２０Ｈを有している。システム回路１２０は、さらに、例えば、ネットワーク通信回路１２０Ｉおよびコントローラ受信回路１２０Ｊを有している。映像表示装置１００は、例えば、コントローラ１００Ａを、パネルモジュール１１０やシステム回路１２０とは別体で有している。
【００２８】
映像コンテンツデータＩｄは、動画だけでなく静止画をも含む概念であり、更に音声をも含む概念である。映像コンテンツは、例えば、放送局から放送された番組の映像やコマーシャルの映像、有線放送された映像、所定の記録媒体に記録され再生装置で再生された映像、ゲーム機器や情報処理装置などで再生された映像などである。加工コンテンツデータＩｄ’は、例えば、後述の固有情報１３０から導出した後述のパラメータＰｐを用いて映像コンテンツデータＩｄを処理することにより得られる映像データである。映像コンテンツデータＩｄに当初からコンテンツ属性データＡｄが付随していた場合には、加工コンテンツデータＩｄ’は、例えば、パラメータＰｐおよびコンテンツ属性データＡｄのうち少なくともパラメータＰｐを用いて映像コンテンツデータＩｄを処理することにより得られる映像データである。メタデータＭｄは、例えば、パラメータＰｐおよびコンテンツ属性データＡｄのうち少なくともパラメータＰｐを含むものである。メタデータＭｄは、少なくとも、表示パネル１１１の制御値を含んでおり、パラメータＰｐおよびコンテンツ属性データＡｄに含まれる情報に応じて、表示パネル１１１の制御値以外の値（例えば、画質設定値）を含んでいる。メタデータＭｄは、映像コンテンツデータIｄと同一ファイル内のデータとなっていてもよいし、映像コンテンツデータIｄとは別のファイルのデータとなっていてもよい。
【００２９】
コンテンツ属性データＡｄとは、映像コンテンツデータＩｄの付加的なデータであり、映像コンテンツデータＩｄの内容を記述したものである。コンテンツ属性データＡｄとしては、例えば、以下のようなものが挙げられる。
（１）映像コンテンツデータＩｄの制作者
（２）映像コンテンツデータＩｄの制作日時
（３）映像コンテンツデータＩｄの種別（ジャンル）
（４）映像コンテンツデータＩｄの推奨画質
（５）映像コンテンツデータＩｄの解像度、周波数
（６）コンテンツエンコード時のコーデック
映像コンテンツデータＩｄが撮像装置で撮像された映像である場合
（７）カメラメーカー、カメラ品番、レンズ品番
（８）絞り値、露出時間、ISO速度、露出補正、焦点距離、最大絞り、測光モード、
被写体距離、フラッシュの有無、フラッシュ光量、撮影画角
（９）撮影時の照度、照明の色温度、被写体反射率１００％の輝度
【００３０】
プロセッサ１２０Ａは、システム回路１２０の各部の動作を制御するものである。プロセッサ１２０Ａは、例えば、映像信号処理回路１２０Ｄに入力する制御信号を、メモリ１２０Ｂ内に格納された設定情報、またはネットワーク通信回路１２０Ｉから入力された設定情報（例えば、メタデータＭｄ）に基づいて設定するようになっている。メモリ１２０Ｂは、例えば、映像表示装置１００の設定情報の格納およびデータ管理を行うものである。メモリ１２０Ｂは、例えば、表示方法などの設定情報（例えば、メタデータＭｄ）を格納することが可能となっている。
【００３１】
デコーダ１２０Ｃは、例えば、外部から入力されたコンテンツデータに含まれる映像ＰＥＳ(Packetized Elementary Stream)パケットに対してデコード処理を行うことにより映像データを得るようになっている。デコーダ１２０Ｃは、また、例えば、外部から入力されたコンテンツデータに含まれる音声ＰＥＳパケットに対してデコード処理を行うことにより音声データを得るようになっている。映像信号処理回路１２０Ｄおよびグラフィック生成回路１２０Ｅは、例えば、デコーダ１２０Ｃで得られた映像データに対して、必要に応じてマルチ画像処理、グラフィックスデータの重畳処理等を行うようになっている。グラフィック生成回路１２０Ｅは、所定の処理のなされた後の映像データ（例えば、映像コンテンツデータＩｄ、または加工コンテンツデータＩｄ’から得られた映像データ）と、設定情報（例えば、メタデータＭｄ）とをパネルモジュール１１０に出力するようになっている。
【００３２】
音声信号処理回路１２０Ｆは、例えば、デコーダ１２０Ｃで得られた音声データに対してＤ／Ａ変換等の処理を行うようになっている。音声増幅回路１２０Ｇは、例えば、音声信号処理回路１２０Ｆから出力された音声信号を増幅してスピーカ１２０Ｈに供給するようになっている。ネットワーク通信回路１２０Ｉは、ネットワーク２００上の機器（具体的には、情報処理装置３００や配信サーバ６００など）との通信を行うものである。コントローラ受信回路１２０Ｊは、例えば、コントローラ１００Ａから送信されたリモートコントロール信号（例えば、ユーザ情報Ｕｄ）を受信し、プロセッサ１２０Ａに供給するようになっている。プロセッサ１２０Ａは、例えば、リモートコントロール信号に従って映像表示装置１００の各部を制御するようになっている。
【００３３】
ここで、ユーザ情報Ｕｄとは、例えば、ユーザ属性情報、ユーザ嗜好情報およびユーザ操作情報を含むものである。ユーザ属性情報としては、例えば、以下のようなものが挙げられる。
（１）ユーザの年齢、性別、国籍
（２）ユーザの家族構成
（３）ユーザの顔写真
（４）ユーザのＳＮＳ（social networking service）登録内容
（５）製品の製造番号
【００３４】
ユーザ嗜好情報としては、例えば、以下のようなものが挙げられる。
（１）ユーザのコンテンツの好み
（２）ユーザの画質設定の好み
【００３５】
ユーザ操作情報としては、例えば、以下のようなものが挙げられる。
（１）リアルタイムで画面に表示されているコンテンツおよびアプリケーションの種類
（２）アプリケーションの表示モード
（３）コンテンツの表示モード
（４）コンテンツ再生状況
（５）ユーザによる画質変更履歴
（６）ユーザの視聴時刻履歴
【００３６】
システム回路１２０は、さらに、パネル駆動回路１１２から取得した表示パネル情報Ｐｄや環境情報Ｅｄを含む固有情報１３０を生成し、ネットワーク１２０Iを介して外部（情報処理装置３００）に送信するものである。ここで、ユーザがコントローラ１００Ａを操作して、リモートコントロール信号として、ユーザ情報Ｕｄを、コントローラ受信回路１２０Ｊを介してシステム回路１２０（プロセッサ１２０Ａ）に入力したとする。このときは、システム回路１２０は、表示パネル情報Ｐｄおよび環境情報Ｅｄの他に、ユーザ情報Ｕｄも含めた固有情報１３０を生成し、ネットワーク１２０Iを介して外部（情報処理装置３００）に送信するようになっている。なお、ユーザがコントローラ１００Ａを操作しているときに、表示パネル情報Ｐｄや環境情報Ｅｄがパネル駆動回路１１２から送信されてきていない場合には、システム回路１２０は、表示パネル情報Ｐｄおよび環境情報Ｅｄを含まず、そして、ユーザ情報Ｕｄを含む固有情報１３０を生成し、ネットワーク１２０Iを介して外部（情報処理装置３００）に送信するようになっている。
【００３７】
（コンテンツ記憶装置４００）
コンテンツ記憶装置４００は、コンテンツデータＣｄを記憶するものである。コンテンツデータＣｄは、例えば、映像コンテンツデータIｄと、コンテンツ属性データＡｄとを含むものである。コンテンツ属性データＡｄは、映像コンテンツデータIｄに当初から付随している情報であり、映像コンテンツデータIｄの内容等に関する情報である。なお、コンテンツ記憶装置４００は、コンテンツデータＣｄとして、コンテンツ属性データＡｄを含まないものを記憶していてもよい。映像コンテンツデータIｄは、情報処理装置３００において情報処理可能な形式となっていることが好ましく、例えば、エンコードされていないデータ形式となっていることが好ましい。コンテンツ記憶装置４００は、例えば、コンテンツデータＣｄを、情報処理装置３００から受信するようになっている。コンテンツ記憶装置４００は、情報処理装置３００からの要求に応じて、コンテンツデータＣｄを読み出し、情報処理装置３００に送信するようになっている。
【００３８】
（情報処理装置３００）
情報処理装置３００は、映像表示装置１００から受信した固有情報１３０を用いて、画質を決定するパラメータＰｐを導出し、導出したパラメータＰｐまたはそれに関する関連データを映像表示装置１００に送信するものである。固有情報１３０は、表示パネル情報Ｐｄ、環境情報Ｅｄおよびユーザ情報Ｕｄのうち少なくとも表示パネル情報Ｐｄを含むものである。パラメータＰｐは、少なくとも、表示パネル１１１の制御値を含んでおり、固有情報１３０に含まれる情報に応じて、表示パネル１１１の制御値以外の値（例えば、画質設定値）を含んでいる。
【００３９】
情報処理装置３００は、パラメータＰｐを導出するにあたって、固有情報１３０に含まれる表示パネル情報Ｐｄを分析し、個々の表示パネル１１１が表現しうる画質設定範囲および表示デバイス制御範囲を導出する。また、処理装置３００は、パラメータＰｐを導出するにあたって、固有情報１３０に含まれるユーザ情報Ｕｄや環境情報Ｅｄを分析し、個々のユーザにとって好ましい画質設定範囲を導出する。さらに、情報処理装置３００は、コンテンツデータＣｄに含まれるコンテンツ属性データＡｄを分析し、個々のコンテンツにとって好ましい画質設定範囲を導出する。情報処理装置３００は、表示パネル情報Ｐｄ、ユーザ情報Ｕｄ、環境情報Ｅｄおよびコンテンツ属性データＡｄのうち少なくとも表示パネル情報Ｐｄを利用して、好ましい画質設定範囲および表示デバイス制御範囲を導出することにより、パラメータＰｐを導出する。
【００４０】
映像コンテンツデータIｄが情報処理装置３００において情報処理可能な形式となっている場合には、情報処理装置３００は、固有情報１３０から導出したパラメータＰｐを用いて映像コンテンツデータIｄを処理することにより加工コンテンツデータＩｄ’を生成するようになっていてもよい。さらに、映像コンテンツデータＩｄに当初からコンテンツ属性データＡｄが付随していた場合には、情報処理装置３００は、固有情報１３０から導出したパラメータＰｐと、コンテンツ属性データＡｄとを用いて、映像コンテンツデータＩｄを処理することにより加工コンテンツデータＩｄ’を生成するようになっていてもよい。情報処理装置３００は、加工コンテンツデータＩｄ’を生成した場合には、加工コンテンツデータＩｄ’を映像表示装置１００に送信するようになっている。
【００４１】
映像コンテンツデータIｄが情報処理装置３００において情報処理可能な形式となっている場合であっても、情報処理装置３００は、固有情報１３０から導出したパラメータＰｐを用いて映像コンテンツデータIｄを処理しなくてもよい。この場合に、情報処理装置３００は、パラメータＰｐを、映像コンテンツデータIｄに関するメタデータＭｄとして設定してもよい。この場合、メタデータＭｄは、パラメータＰｐである。さらに、映像コンテンツデータＩｄに当初からコンテンツ属性データＡｄが付随していた場合には、情報処理装置３００は、パラメータＰｐおよびコンテンツ属性データＡｄをメタデータＭｄとして設定してもよい。この場合、メタデータＭｄは、パラメータＰｐおよびコンテンツ属性データＡｄである。情報処理装置３００は、メタデータＭｄを生成した場合には、映像コンテンツデータIｄを、メタデータＭｄと共に映像表示装置１００に送信するようになっている。
【００４２】
映像コンテンツデータIｄが情報処理装置３００において情報処理可能な形式となっていない場合には、情報処理装置３００は、固有情報１３０から導出したパラメータＰｐを用いて映像コンテンツデータIｄを処理しない。この場合に、情報処理装置３００は、パラメータＰｐを、映像コンテンツデータIｄに関するメタデータＭｄとして設定してもよい。この場合、メタデータＭｄは、パラメータＰｐである。さらに、映像コンテンツデータＩｄに当初からコンテンツ属性データＡｄが付随していた場合には、情報処理装置３００は、パラメータＰｐおよびコンテンツ属性データＡｄをメタデータＭｄとして設定してもよい。この場合、メタデータＭｄは、パラメータＰｐおよびコンテンツ属性データＡｄである。情報処理装置３００は、メタデータＭｄを生成した場合には、映像コンテンツデータIｄを、メタデータＭｄと共に映像表示装置１００に送信するようになっている。
【００４３】
映像表示装置１００が固有情報１３０を受信した際に、ユーザがコンテンツデータＣｄを選択していない場合、情報処理装置３００は、固有情報１３０を用いて導出したパラメータＰｐだけを映像表示装置１００に送信するようになっている。映像表示装置１００が固有情報１３０を受信した際に、ユーザがコンテンツデータＣｄを選択している場合、情報処理装置３００は、上述したように、パラメータＰｐと共に、映像コンテンツデータIｄ等を映像表示装置１００に送信するようになっている。情報処理装置３００は、ユーザがコンテンツデータＣｄを選択しているか否かは、固有情報１３０に含まれるユーザ情報Ｕｄから判断することができる。
【００４４】
情報処理装置３００は、例えば、演算部３１０、受信部３２０および送信部３３０を有している。受信部３２０は、表示パネル１１１を有する映像表示装置１００から固有情報１３０を受信するようになっている。受信部３２０は、また、コンテンツ記憶装置４００から、コンテンツデータＣｄを読み出すようになっている。受信部３２０は、さらに、データ記憶装置５００から、パラメータＰｐ、パラメータＰｐを含むメタデータＭｄ、または固有情報１３０を読み出すようになっている。
【００４５】
演算部３１０は、受信部３２０で受信した固有情報１３０を用いて、画質を決定するパラメータＰｐまたはそれに関する関連データを導出するようになっている。演算部３１０は、受信部３２０で受信した固有情報１３０を一旦、データ記憶装置５００に記憶させ、後に受信部３２０にデータ記憶装置５００から読み出させてもよい。演算部３１０は、受信部３２０で固有情報１３０を受信すると、上述した各種処理を行い、メタデータＭｄや、加工コンテンツデータＩｄ’を生成するようになっている。演算部３１０は、パラメータＰｐやメタデータＭｄを一旦、データ記憶装置５００に記憶させ、後に受信部３２０にデータ記憶装置５００から読み出させてもよい。
【００４６】
送信部３３０は、映像コンテンツデータIｄや、加工コンテンツデータＩｄ’、パラメータＰｐおよびメタデータＭｄ等を配信サーバ６００に送信するようになっている。なお、送信するデータとしてパラメータＰｐまたはメタデータＭｄしかない場合には、送信部３３０は、パラメータＰｐまたはメタデータＭｄを情報処理装置３００に送信するようになっている。
【００４７】
（データ記憶装置５００）
データ記憶装置５００は、画質を決定するパラメータＰｐ、およびパラメータＰｐを含むメタデータＭｄを記憶するものである。データ記憶装置５００は、パラメータＰｐやメタデータＭｄだけでなく、固有情報１３０を記憶してもよい。データ記憶装置５００は、情報処理装置３００からの要求に応じて、パラメータＰｐ、メタデータＭｄ、または固有情報１３０を記憶するようになっている。データ記憶装置５００は、情報処理装置３００からの要求に応じて、パラメータＰｐ、パラメータＰｐを含むメタデータＭｄ、または固有情報１３０を読み出し、情報処理装置３００に送信するようになっている。
【００４８】
（配信サーバ６００）
配信サーバ６００は、情報処理装置３００からの指示に応じて、加工コンテンツデータＩｄ’を映像表示装置１００に配信するか、または、映像コンテンツデータIｄを、メタデータＭｄと共に情報処理装置３００に配信するものである。配信サーバ６００は、加工コンテンツデータＩｄ’や映像コンテンツデータIｄの配信を、例えば、ストリーミング形式もしくはダウンロード形式により行う。
【００４９】
[映像表示方法]
次に、映像表示システム１における表示パネル１１１への映像表示方法について説明する。図５、図６は、映像表示システム１における動作の手順の一例を表すものである。まず、映像表示装置１００が、固有情報１３０を生成し、情報処理装置３００に送信する（ステップＳ１０１、図５、図６）。固有情報１３０を生成するタイミングとしては、例えば、（１）情報処理装置３００からの要求があったとき、（２）映像表示装置１００の電源をユーザが入れたとき、（３）ユーザがコンテンツＣｄを選択したとき、（４）映像表示装置１００においてあらかじめ決められたタイミングが到来したときが挙げられる。
【００５０】
次に、情報処理装置３００は、コンテンツ記憶装置４００からコンテンツデータＣｄを読み出す（ステップＳ１０２、図５、図６）。続いて、情報処理装置３００は、映像表示装置１００から受信した固有情報１３０を用いて、画質を決定するパラメータＰｐを導出する（ステップＳ１０３、図５、図６）。情報処理装置３００は、映像表示装置１００から固有情報１３０を受信した場合に、固有情報１３０に、ユーザが選択するコンテンツＣｄに関する情報が含まれていないときには、パラメータＰｐを映像表示装置１００に送信する。このとき、映像表示装置１００は、パラメータＰｐを利用して、画質の調整を行う。従って、この場合でも、画質の調整された映像が表示パネル１１１へ表示される。情報処理装置３００は、映像表示装置１００から固有情報１３０を受信した場合に、固有情報１３０に、ユーザが選択するコンテンツＣｄに関する情報が含まれている場合には、この後の動作を継続する。
【００５１】
次に、情報処理装置３００は、コンテンツデータＣｄに含まれる映像コンテンツデータIｄの形式や、コンテンツ属性データＡｄの有無などによって、上述の処理を行うことにより、加工コンテンツデータＩｄ’やメタデータＭｄなどの送信データを生成する。情報処理装置３００は、加工コンテンツデータＩｄ’を生成した場合（ステップＳ１０４、図５）、加工コンテンツデータＩｄ’をエンコードした上で、配信サーバ６００に送信する（ステップＳ１０５、図５）。次に、配信サーバ６００は、情報処理装置３００から受信した加工コンテンツデータＩｄ’を映像表示装置１００に配信する（ステップＳ１０６、図５）。最後に、映像表示装置１００は、配信サーバ６００から受信した加工コンテンツデータＩｄ’に基づいて表示パネル１１１に映像を表示する（ステップＳ１０７、図５）。このようにして、画質の調整された映像が表示パネル１１１へ表示される。
【００５２】
一方、情報処理装置３００は、メタデータＭｄを生成した場合（ステップＳ１０８、図６）には、映像コンテンツデータIｄおよびメタデータＭｄを配信サーバ６００に送信する（ステップＳ１０９、図６）。ここで、映像コンテンツデータIｄが、必要に応じてエンコードされる。
【００５３】
次に、配信サーバ６００は、情報処理装置３００から受信した映像コンテンツデータIｄとメタデータＭｄを映像表示装置１００に配信する（ステップＳ１１０、図６）。最後に、映像表示装置１００は、配信サーバ６００から受信したメタデータＭｄに基づいて表示パネル１１１を制御しつつ、映像コンテンツデータIｄに基づいて表示パネル１１１に映像を表示する（ステップＳ１１１、図６）。このようにして、画質の調整された映像が表示パネル１１１へ表示される。
【００５４】
[効果]
次に、本実施の形態の映像表示システム１の効果について説明する。本実施の形態では、情報処理装置３００において、映像表示装置１００から受信した固有情報１３０を用いて、画質を決定するパラメータＰｐまたはそれに関する関連データが導出される。そして、導出されたパラメータＰｐまたはそれに関する関連データが情報処理装置３００から映像表示装置１００に送信される。ここで、関連データは、具体的には、加工コンテンツデータＩｄ’であるか、または、映像コンテンツデータIｄおよびメタデータＭｄである。これにより、適切な画質の映像を得るのに必要な負荷のかかる情報処理を、外部装置（情報処理装置３００、コンテンツ記憶装置４００、データ記憶装置５００および配信サーバ６００）に任せることができる。その結果、映像表示装置１００の製造コストの増大を抑えつつ、適切な画質の映像を得ることができる。
【００５５】
＜２．第１の実施の形態の変形例＞
図７は、映像表示装置１００の一変形例を表すものである。図８、図９は、本変形例に係る映像表示装置１００のデータの流れの一変形例を表すものである。上記実施の形態では、ネットワーク２００上の情報処理装置３００等との通信が、システム回路１２０に設けられたネットワーク通信回路１２０Ｉによって行われていた。ネットワーク２００上の情報処理装置３００等との通信は、例えば、図７に示したように、パネル駆動回路１１２に新たに設けられたネットワーク通信回路１１２Ｃによって行われてもよい。すなわち、本変形例では、パネル駆動回路１１２が、ネットワーク２００上の情報処理装置３００等と通信可能なネットワーク通信回路１１２Ｃを有している。
【００５６】
本変形例では、パネル駆動回路１１２は、例えば、プロセッサ１１２Ａの他に、ネットワーク通信回路１１２Ｃと、メモリ１１２Ｂを有している。メモリ１１２Ｂは、例えば、表示パネル情報Ｐｄや、環境情報Ｅｄを格納するためのものである。本変形例では、パネル駆動回路１１２が、システム回路１２０を介さずに、ネットワーク２００上の情報処理装置３００等と通信を行い、表示パネル情報Ｐｄや、環境情報Ｅｄを情報処理装置３００に送信する。このとき、システム回路１２０が、図８に示したように、上記実施の形態と同様に、ユーザ情報Ｕｄについては、情報処理装置３００に送信してもよい。また、図９に示したように、ユーザ情報Ｕｄについても、パネル駆動回路１１２が、システム回路１２０を介さずに、情報処理装置３００に送信してもよい。
【００５７】
本変形例では、上記実施の形態と同様、情報処理装置３００において、映像表示装置１００から受信した固有情報１３０を用いて、画質を決定するパラメータＰｐまたはそれに関する関連データが導出される。そして、導出されたパラメータＰｐまたはそれに関する関連データが情報処理装置３００から映像表示装置１００に送信される。これにより、適切な画質の映像を得るのに必要な負荷のかかる情報処理を、外部装置（情報処理装置３００、コンテンツ記憶装置４００、データ記憶装置５００および配信サーバ６００）に任せることができる。その結果、映像表示装置１００の製造コストの増大を抑えつつ、適切な画質の映像を得ることができる。
【００５８】
＜３．第２の実施の形態＞
[構成]
図１０は、本技術の第２の実施の形態に係る映像表示システム２の概略構成の一例を表すものである。映像表示システム２は、映像表示装置１００が放送局７００からコンテンツを取得するように構成されており、例えば、映像表示装置１００、情報処理装置３００、データ記憶装置５００および放送局７００を備えている。映像表示装置１００は、放送局７００のテレビ放送信号を受信するアンテナ１００Ｂを有している。テレビ放送信号は、例えば、映像コンテンツデータIｄと、コンテンツ属性データＡｄとを含むものである。
【００５９】
図１１は、本実施の形態の映像表示装置１００の内部構成の一例を表すものである。図１２は、図１１の映像表示装置１００のデータの流れの一例を表すものである。本実施の形態の映像表示装置１００は、第１の実施の形態の映像表示装置１００において、デジタルチューナ１２０Ｋおよびデマルチプレクサ１２０Ｌをさらに設けたものに相当する。デジタルチューナ１２０Ｋは、アンテナ１００Ｂを介して入力されたテレビ放送信号を処理して、ユーザの選択チャネルに対応した所定のトランスポートストリームを出力するようになっている。デマルチプレクサ１２０Ｌは、例えば、デジタルチューナ１２０Ｋで得られたトランスポートストリームから、ユーザの選択チャネルに対応したパーシャルＴＳ（Transport Stream）を抽出するようになっている。プロセッサ１２０Ａは、例えば、デマルチプレクサ１２０Ｌで得られたパーシャルＴＳをメモリ１２０Ｂ内に格納したり、メモリ１２０Ｂから読み出したパーシャルＴＳをデコーダ１２０Ｃに送信したりするようになっている。デコーダ１２０Ｃは、例えば、デマルチプレクサ１２０Ｌで得られたパーシャルＴＳに含まれる映像ＰＥＳパケットに対してデコード処理を行うことにより映像データを得るようになっている。
【００６０】
[映像表示方法]
次に、映像表示システム１における表示パネル１１１への映像表示方法について説明する。図１３、図１４は、映像表示システム１における動作の手順の一例を表すものである。まず、映像表示装置１００が、固有情報１３０を生成し、情報処理装置３００に送信する（ステップＳ２０１、図１３、図１４）。固有情報１３０を生成するタイミングは、上記実施の形態のときと同様である。
【００６１】
次に、情報処理装置３００は、映像表示装置１００から受信した固有情報１３０を用いて、画質を決定するパラメータＰｐを導出し（ステップＳ２０２、図１３、図１４）、導出したパラメータＰｐを映像表示装置１００に送信する（ステップＳ２０３、図１３、図１４）。
【００６２】
次に、映像表示装置１００は、テレビ放送信号から抽出されたコンテンツデータＣｄに含まれる映像コンテンツデータIｄの形式や、コンテンツ属性データＡｄの有無などによって、上記実施の形態と同様の処理を行うことにより、加工コンテンツデータＩｄ’やメタデータＭｄなどの送信データを生成する。
【００６３】
具体的には、映像コンテンツデータIｄが映像表示装置１００において情報処理可能な形式となっている場合には、映像表示装置１００は、パラメータＰｐを用いて映像コンテンツデータIｄを処理することにより加工コンテンツデータＩｄ’を生成するようになっていてもよい。さらに、映像コンテンツデータＩｄに当初からコンテンツ属性データＡｄが付随していた場合には、映像表示装置１００は、パラメータＰｐと、コンテンツ属性データＡｄとを用いて、映像コンテンツデータＩｄを処理することにより加工コンテンツデータＩｄ’を生成するようになっていてもよい。
【００６４】
映像コンテンツデータIｄが映像表示装置１００において情報処理可能な形式となっている場合であっても、映像表示装置１００は、パラメータＰｐを用いて映像コンテンツデータIｄを処理しなくてもよい。この場合に、映像表示装置１００は、パラメータＰｐを、映像コンテンツデータIｄに関するメタデータＭｄとして設定してもよい。この場合、メタデータＭｄは、パラメータＰｐである。さらに、映像コンテンツデータＩｄに当初からコンテンツ属性データＡｄが付随していた場合には、映像表示装置１００は、パラメータＰｐおよびコンテンツ属性データＡｄをメタデータＭｄとして設定してもよい。この場合、メタデータＭｄは、パラメータＰｐおよびコンテンツ属性データＡｄである。
【００６５】
映像コンテンツデータIｄが映像表示装置１００において情報処理可能な形式となっていない場合には、映像表示装置１００は、パラメータＰｐを用いて映像コンテンツデータIｄを処理しない。この場合に、映像表示装置１００は、パラメータＰｐを、映像コンテンツデータIｄに関するメタデータＭｄとして設定してもよい。この場合、メタデータＭｄは、パラメータＰｐである。さらに、映像コンテンツデータＩｄに当初からコンテンツ属性データＡｄが付随していた場合には、映像表示装置１００は、パラメータＰｐおよびコンテンツ属性データＡｄをメタデータＭｄとして設定してもよい。この場合、メタデータＭｄは、パラメータＰｐおよびコンテンツ属性データＡｄである。
【００６６】
次に、映像表示装置１００は、加工コンテンツデータＩｄ’を生成した場合（ステップＳ２０５、図１３）、加工コンテンツデータＩｄ’をエンコードした上で、プロセッサ１２０Ａに送信する。最後に、映像表示装置１００は、加工コンテンツデータＩｄ’に基づいて表示パネル１１１に映像を表示する（ステップＳ２０６、図１３）。このようにして、画質の調整された映像が表示パネル１１１へ表示される。
【００６７】
一方、映像表示装置１００は、メタデータＭｄを生成した場合（ステップＳ２０７、図１４）には、映像コンテンツデータIｄおよびメタデータＭｄをプロセッサ１２０Ａに送信する。ここで、映像コンテンツデータIｄが、必要に応じてエンコードされる。
【００６８】
次に、映像表示装置１００は、映像コンテンツデータIｄとメタデータＭｄに基づいて表示パネル１１１に映像を表示する（ステップＳ２０８、図１４）。このようにして、画質の調整された映像が表示パネル１１１へ表示される。
【００６９】
[効果]
次に、本実施の形態の映像表示システム１の効果について説明する。本実施の形態では、情報処理装置３００において、映像表示装置１００から受信した固有情報１３０を用いて、画質を決定するパラメータＰｐが導出される。そして、導出されたパラメータＰｐが情報処理装置３００から映像表示装置１００に送信される。これにより、適切な画質の映像を得るのに必要な負荷のかかる情報処理を、外部装置（情報処理装置３００およびデータ記憶装置５００）に任せることができる。その結果、映像表示装置１００の製造コストの増大を抑えつつ、適切な画質の映像を得ることができる。
【００７０】
＜４．第２の実施の形態の変形例＞
図１５は、映像表示装置１００の一変形例を表すものである。図１６、図１７は、本変形例に係る映像表示装置１００のデータの流れの一変形例を表すものである。上記第２の実施の形態では、ネットワーク２００上の情報処理装置３００等との通信が、システム回路１２０に設けられたネットワーク通信回路１２０Ｉによって行われていた。ネットワーク２００上の情報処理装置３００等との通信は、例えば、図１５に示したように、パネル駆動回路１１２に新たに設けられたネットワーク通信回路１１２Ｃによって行われてもよい。すなわち、本変形例では、パネル駆動回路１１２が、ネットワーク２００上の情報処理装置３００等と通信可能なネットワーク通信回路１１２Ｃを有している。
【００７１】
本変形例では、パネル駆動回路１１２は、例えば、プロセッサ１１２Ａの他に、ネットワーク通信回路１１２Ｃと、メモリ１１２Ｂを有している。メモリ１１２Ｂは、例えば、表示パネル情報Ｐｄや、環境情報Ｅｄを格納するためのものである。本変形例では、パネル駆動回路１１２が、システム回路１２０を介さずに、ネットワーク２００上の情報処理装置３００等と通信を行い、表示パネル情報Ｐｄや、環境情報Ｅｄを情報処理装置３００に送信する。このとき、システム回路１２０が、図１６に示したように、上記実施の形態と同様に、ユーザ情報Ｕｄについては、情報処理装置３００に送信してもよい。また、図１７示したように、ユーザ情報Ｕｄについても、パネル駆動回路１１２が、システム回路１２０を介さずに、情報処理装置３００に送信してもよい。
【００７２】
本変形例では、情報処理装置３００において、映像表示装置１００から受信した固有情報１３０を用いて、画質を決定するパラメータＰｐが導出される。そして、導出されたパラメータＰｐが情報処理装置３００から映像表示装置１００に送信される。これにより、適切な画質の映像を得るのに必要な負荷のかかる情報処理を、外部装置（情報処理装置３００およびデータ記憶装置５００）に任せることができる。その結果、映像表示装置１００の製造コストの増大を抑えつつ、適切な画質の映像を得ることができる。
【００７３】
＜５．第３の実施の形態＞
[構成]
図１８は、本技術の第３の実施の形態に係る映像表示システム３の概略構成の一例を表すものである。映像表示システム３は、映像表示システム１において、映像表示装置１００が放送局７００からもコンテンツを取得することができるように構成されたものである。映像表示システム３は、例えば、映像表示装置１００、情報処理装置３００、コンテンツ記憶装置４００、データ記憶装置５００、配信サーバ６００および放送局７００を備えている。映像表示装置１００は、放送局７００のテレビ放送信号を受信するアンテナ１００Ｂを有している。テレビ放送信号は、例えば、映像コンテンツデータIｄと、コンテンツ属性データＡｄとを含むものである。
【００７４】
本実施の形態では、コンテンツをネットワーク２００から取得する場合、情報処理装置３００において、映像表示装置１００から受信した固有情報１３０を用いて、画質を決定するパラメータＰｐまたはそれに関する関連データが導出される。関連データとは、具体的には、加工コンテンツデータＩｄ’であるか、または、映像コンテンツデータIｄおよびメタデータＭｄである。そして、導出されたパラメータＰｐまたはそれに関する関連データが情報処理装置３００から映像表示装置１００に送信される。また、本実施の形態では、コンテンツをテレビ放送信号から取得する場合、情報処理装置３００において、映像表示装置１００から受信した固有情報１３０を用いて、画質を決定するパラメータＰｐが導出される。そして、導出されパラメータＰｐが情報処理装置３００から映像表示装置１００に送信される。これにより、適切な画質の映像を得るのに必要な負荷のかかる情報処理を、外部装置に任せることができる。その結果、映像表示装置１００の製造コストの増大を抑えつつ、適切な画質の映像を得ることができる。
【００７５】
＜６．第４の実施の形態＞
[構成]
図１９は、本技術の第４の実施の形態に係る映像表示システム４の概略構成の一例を表すものである。映像表示システム４は、映像表示システム３において、映像表示装置１００と情報処理装置３００との間に、セットトップボックス８００を設けたものに相当する。
【００７６】
図２０は、映像表示装置１００およびセットトップボックス８００の内部構成の一例を表すものである。セットトップボックス８００は、例えば、プロセッサ８１０、デジタルチューナ１２０Ｋ、デマルチプレクサ１２０Ｌ、ネットワーク通信回路１２０Ｉおよびメモリ８２０を有している。一方、映像表示装置１００は、第３の実施の形態の映像表示装置１００において、デジタルチューナ１２０Ｋ、デマルチプレクサ１２０Ｌ、ネットワーク通信回路１２０Ｉを省略したものに相当する。プロセッサ８１０は、デマルチプレクサ１２０Ｌで得られたパーシャルＴＳをメモリ８２０内に格納したり、メモリ８２０から読み出したパーシャルＴＳを、映像表示装置１００のプロセッサ１２０Ａを介して、デコーダ１２０Ｃに送信したりするようになっている。
【００７７】
本実施の形態では、コンテンツをネットワーク２００から取得する場合、情報処理装置３００において、映像表示装置１００から受信した固有情報１３０を用いて、画質を決定するパラメータＰｐまたはそれに関する関連データが導出される。関連データとは、具体的には、加工コンテンツデータＩｄ’であるか、または、映像コンテンツデータIｄおよびメタデータＭｄである。そして、導出されたパラメータＰｐまたはそれに関する関連データが情報処理装置３００からセットトップボックス８００を介して映像表示装置１００に送信される。また、本実施の形態では、コンテンツをテレビ放送信号から取得する場合、情報処理装置３００において、映像表示装置１００から受信した固有情報１３０を用いて、画質を決定するパラメータＰｐが導出される。そして、導出されたパラメータＰｐが情報処理装置３００からセットトップボックス８００を介して映像表示装置１００に送信される。これにより、適切な画質の映像を得るのに必要な負荷のかかる情報処理を、外部装置に任せることができる。その結果、映像表示装置１００の製造コストの増大を抑えつつ、適切な画質の映像を得ることができる。
【００７８】
＜７．各実施の形態の共通の変形例＞
上記各実施の形態およびその変形例において、例えば、図２１に示したように、撮像装置９００がネットワーク２００に接続されていてもよい。撮像装置９００は、例えば、図２２に示したように、イメージセンサ９２０と、イメージセンサ９２０を制御する制御回路９１０とを有している。制御回路９１０は、イメージセンサ９２０を制御すると共に、イメージセンサ９２０から得られた撮像データＩｍｇを、コンテンツ属性データＳｄと共にメモリ９１０Ｂに格納したり、外部（情報処理装置３００）に出力したりするようになっている。コンテンツ属性データＳｄは、例えば、以下のデータを含んでいる。
（１）映像コンテンツデータＩｄの制作者
（２）映像コンテンツデータＩｄの制作日時
（３）映像コンテンツデータＩｄの種別（ジャンル）
（４）映像コンテンツデータＩｄの推奨画質
（５）映像コンテンツデータＩｄの解像度、周波数
（６）コンテンツエンコード時のコーデック
映像コンテンツデータＩｄが撮像装置で撮像された映像である場合
（７）カメラメーカー、カメラ品番、レンズ品番
（８）絞り値、露出時間、ISO速度、露出補正、焦点距離、最大絞り、測光モード、
被写体距離、フラッシュの有無、フラッシュ光量、撮影画角
（９）撮影時の照度、照明の色温度、被写体反射率１００％の輝度
【００７９】
情報処理装置３００は、コンテンツ属性データＳｄを分析し、個々のコンテンツにとって好ましい画質設定範囲を導出する。情報処理装置３００は、表示パネル情報Ｐｄ、ユーザ情報Ｕｄ、環境情報Ｅｄおよびコンテンツ属性データＳｄのうち少なくとも表示パネル情報Ｐｄを利用して、好ましい画質設定範囲および表示デバイス制御範囲を導出することにより、パラメータＰｐを導出する。
【００８０】
撮像データＩｍｇが情報処理装置３００において情報処理可能な形式となっている場合には、情報処理装置３００は、固有情報１３０から導出したパラメータＰｐを用いて撮像データＩｍｇを処理することにより加工コンテンツデータＩｄ’を生成するようになっていてもよい。さらに、撮像データＩｍｇに当初からコンテンツ属性データＳｄが付随していた場合には、情報処理装置３００は、固有情報１３０から導出したパラメータＰｐと、コンテンツ属性データＳｄとを用いて、撮像データＩｍｇを処理することにより加工コンテンツデータＩｄ’を生成するようになっていてもよい。情報処理装置３００は、加工コンテンツデータＩｄ’を生成した場合には、加工コンテンツデータＩｄ’を映像表示装置１００に送信するようになっている。
【００８１】
撮像データＩｍｇが情報処理装置３００において情報処理可能な形式となっている場合であっても、情報処理装置３００は、固有情報１３０から導出したパラメータＰｐを用いて撮像データＩｍｇを処理しなくてもよい。この場合に、情報処理装置３００は、パラメータＰｐを、撮像データＩｍｇに関するメタデータＭｄとして設定してもよい。この場合、メタデータＭｄは、パラメータＰｐである。さらに、撮像データＩｍｇに当初からコンテンツ属性データＳｄが付随していた場合には、情報処理装置３００は、パラメータＰｐおよびコンテンツ属性データＳｄをメタデータＭｄとして設定してもよい。この場合、メタデータＭｄは、パラメータＰｐおよびコンテンツ属性データＳｄである。情報処理装置３００は、メタデータＭｄを生成した場合には、撮像データＩｍｇを、メタデータＭｄと共に映像表示装置１００に送信するようになっている。
【００８２】
撮像データＩｍｇが情報処理装置３００において情報処理可能な形式となっていない場合には、情報処理装置３００は、固有情報１３０から導出したパラメータＰｐを用いて撮像データＩｍｇを処理しない。この場合に、情報処理装置３００は、パラメータＰｐを、撮像データＩｍｇに関するメタデータＭｄとして設定してもよい。この場合、メタデータＭｄは、パラメータＰｐである。さらに、撮像データＩｍｇに当初からコンテンツ属性データＳｄが付随していた場合には、情報処理装置３００は、パラメータＰｐおよびコンテンツ属性データＳｄをメタデータＭｄとして設定してもよい。この場合、メタデータＭｄは、パラメータＰｐおよびコンテンツ属性データＳｄである。情報処理装置３００は、メタデータＭｄを生成した場合には、撮像データＩｍｇを、メタデータＭｄと共に映像表示装置１００に送信するようになっている。
【００８３】
なお、映像表示システム１における表示パネル１１１への映像表示方法は、上記第１の実施の形態と同様である。
【００８４】
本変形例では、上記第１の実施の形態と同様、情報処理装置３００において、映像表示装置１００から受信した固有情報１３０を用いて、画質を決定するパラメータＰｐまたはそれに関する関連データが導出される。そして、導出されたパラメータＰｐまたはそれに関する関連データが情報処理装置３００から映像表示装置１００に送信される。これにより、適切な画質の映像を得るのに必要な負荷のかかる情報処理を、外部装置（情報処理装置３００、コンテンツ記憶装置４００、データ記憶装置５００および配信サーバ６００）に任せることができる。その結果、映像表示装置１００の製造コストの増大を抑えつつ、適切な画質の映像を得ることができる。
【００８５】
以上、実施の形態およびその変形例を挙げて本技術を説明したが、本技術は上記実施の形態等に限定されるものではなく、種々変形が可能である。なお、本明細書中に記載された効果は、あくまで例示である。本技術の効果は、本明細書中に記載された効果に限定されるものではない。本技術が、本明細書中に記載された効果以外の効果を持っていてもよい。
【００８６】
また、例えば、本技術は以下のような構成を取ることができる。
（１）
互いに通信可能な映像表示装置および外部装置を備え、
前記映像表示装置は、表示パネルを有し、前記表示パネルに関係する表示パネル情報を含む固有情報を前記外部装置に送信し、
前記外部装置は、前記映像表示装置から受信した前記固有情報を用いて、画質を決定するパラメータを導出し、導出した前記パラメータまたはそれに関する関連データを前記映像表示装置に送信する
映像表示システム。
（２）
前記映像表示装置は、前記表示パネルの電気的特性、光学的特性および環境のうち、少なくとも１つを検出可能なセンサを有し、前記センサの出力に基づいて前記表示パネル情報を生成する
（１）に記載の映像表示システム。
（３）
前記外部装置は、
コンテンツデータを記憶するコンテンツ記憶装置と、
画質を決定する前記パラメータを記憶するデータ記憶装置と、
前記固有情報から導出した前記パラメータを用いて前記コンテンツデータを処理して加工コンテンツデータを生成するか、または、前記コンテンツの付加的なデータであって、かつ前記パラメータを含むメタデータを前記関連データとして生成する情報処理装置と、
前記加工コンテンツデータを前記映像表示装置に配信するか、または、前記コンテンツデータを、前記メタデータと共に前記映像表示装置に配信する配信サーバと
を有する
（２）に記載の映像表示システム。
（４）
前記コンテンツデータは、映像コンテンツデータと、コンテンツ属性データとを含み、
前記情報処理装置は、前記パラメータおよび前記コンテンツ属性データを用いて前記映像コンテンツデータを処理して前記加工コンテンツデータを生成するか、または、前記映像コンテンツデータの付加的なデータであって、かつ前記パラメータおよび前記コンテンツ属性データを含む前記メタデータを前記関連データとして生成する
（３）に記載の映像表示システム。
（５）
前記映像表示装置は、前記加工コンテンツデータに基づいて前記表示パネルに映像を表示するか、または、前記メタデータに基づいて前記表示パネルを制御しつつ、前記コンテンツデータに基づいて前記表示パネルに映像を表示する
（３）に記載の映像表示システム。
（６）
前記固有情報は、前記表示パネル情報の他に、ユーザ情報を含む
（１）ないし（５）のいずれか一項に記載の映像表示システム。
（７）
前記表示装置は、
前記加工コンテンツデータ、または、前記コンテンツデータをデコードした後、画像処理を行うシステム回路と、
前記表示パネルを駆動するパネル駆動回路と
を有し、
前記パネル駆動回路が、前記表示パネルに関係する表示パネル情報を含む固有情報を前記外部装置に送信する
（１）ないし（６）のいずれか一項に記載の映像表示システム。
（８）
表示パネルを有する映像表示装置から、前記表示パネルに関係する表示パネル情報を含む固有情報を受信する受信部と、
前記受信部で受信した前記固有情報を用いて、画質を決定するパラメータまたはそれに関する関連データを導出する演算部と、
前記演算部で導出した前記パラメータまたはそれに関する前記関連データを前記映像表示装置に送信する送信部と
を備えた
外部装置。
（９）
コンテンツデータを記憶するコンテンツ記憶装置と、
画質を決定する前記パラメータを記憶するデータ記憶装置と、
前記受信部、前記演算部および前記送信部を有し、前記演算部が、前記固有情報から導出した前記パラメータを用いて前記コンテンツデータを処理して加工コンテンツデータを生成するか、または、前記コンテンツの付加的なデータであって、かつ前記パラメータを含むメタデータを前記関連データとして生成する情報処理装置と、
前記加工コンテンツデータを前記映像表示装置に配信するか、または、前記コンテンツデータを、前記メタデータと共に前記映像表示装置に配信する配信サーバと
をさらに備えた
（８）に記載の外部装置。
（１０）
表示パネルを有する映像表示装置から、前記表示パネルに関係する表示パネル情報を含む固有情報を受信し、受信した前記固有情報を用いて、画質を決定するパラメータまたはそれに関する関連データを導出し、導出した前記パラメータを前記映像表示装置に送信する
映像表示方法。
【符号の説明】
【００８７】
１，２，３…映像表示システム、１００…映像表示装置、１００Ａ…コントローラ、１００Ｂ…アンテナ、１１０…パネルモジュール、１１１…表示パネル、１１１Ａ…ダミー画素、１１２…パネル駆動回路、１１２Ａ…プロセッサ、１１２Ｂ…プロセッサ、１１２Ｃ…ネットワーク通信回路、１１３…各種センサ、１２０…システム回路、１２０Ａ…プロセッサ、１２０Ｂ…メモリ、１２０Ｃ…デコーダ、１２０Ｄ…映像信号処理回路、１２０Ｅ…グラフィックス生成回路、１２０Ｆ…音声信号処理回路、１２０Ｇ…音声増幅回路、１２０Ｈ…スピーカ、１２０Ｉ…ネットワーク通信回路、１２０Ｊ…コントローラ受信回路、１２０Ｋ…デジタルチューナ、１２０Ｌ…デマルチプレクサ、１３０…固有情報、２００…ネットワーク、３００…情報処理装置、３１０…演算部、３２０…受信部、３３０…送信部、４００…コンテンツ記憶装置、４１０…演算部、４２０…受信部、４３０…送信部、４４０…記憶部、５００…データ記憶装置、５１０…演算部、５２０…受信部、５３０…送信部、５４０…記憶部、６００…配信サーバ、７００…放送局、８００…セットトップボックス、８００Ａ…アンテナ、８１０…プロセッサ、８２０…メモリ、９００…撮像装置、９１０…制御回路、９１０Ａ…プロセッサ、９１０Ｂ…メモリ、９２０…イメージセンサ、Ａｄ…コンテンツ属性データ、Ｃｄ…コンテンツデータ、Ｄｏ…ダミー出力、Ｅｄ…環境情報、Ｉｄ…映像コンテンツデータ、Ｉｄ’…加工コンテンツデータ、Ｉｍｇ…撮像データ、Ｉｓ…映像信号、Ｍｄ…メタデータ、Ｐｄ…表示パネル情報、Ｐｐ…パラメータ、Ｓｄ…撮像デバイス情報、Ｓ１…各表示画素の映像信号、Ｓ２…画質設定信号、Ｓ３…表示パネル制御信号、Ｓｏ…センサ出力、Ｔｓ…制御信号、Ｕｄ…ユーザ情報。
【図１】
2015080075.tif 000003
【図２】
2015080075.tif 000004
【図３】
2015080075.tif 000005
【図４】
2015080075.tif 000006
【図５】
2015080075.tif 000007
【図６】
2015080075.tif 000008
【図７】
2015080075.tif 000009
【図８】
2015080075.tif 000010
【図９】
2015080075.tif 000011
【図１０】
2015080075.tif 000012
【図１１】
2015080075.tif 000013
【図１２】
2015080075.tif 000014
【図１３】
2015080075.tif 000015
【図１４】
2015080075.tif 000016
【図１５】
2015080075.tif 000017
【図１６】
2015080075.tif 000018
【図１７】
2015080075.tif 000019
【図１８】
2015080075.tif 000020
【図１９】
2015080075.tif 000021
【図２０】
2015080075.tif 000022
【図２１】
2015080075.tif 000023
【図２２】
2015080075.tif 000024